(57)【要約】【課題】連続して送り込まれる複数の長尺帳票を速やかに集積部に集積することができる紙葉類集積装置を提供すること。【解決手段】送り込まれてくる長尺帳票を集積させる集積部と、前記集積部に送り込まれる長尺帳票の上面側に接触してその送込方向奥側に向かって搬送する搬送ベルトと、前記搬送ベルトによって搬送される長尺帳票に負圧を付与して前記搬送ベルトに吸着させるファン６５と、前記搬送ベルトに吸着された長尺帳票と前記ファン６５との間を遮断して前記長尺帳票に対する負圧を解除するシャッター機構８８とを具備する。【選択図】      図９
2006151632.tif 000002
【特許請求の範囲】
【請求項１】
送り込まれてくる紙葉類を集積させる集積部と、
前記集積部に送り込まれる紙葉類の上面側に接触してその送込方向奥側に向かって搬送する搬送手段と、
前記搬送手段によって搬送される紙葉類に負圧を付与して前記搬送手段に吸着させる負圧付与手段と、
前記搬送手段に吸着された紙葉類と前記負圧付与手段との間を遮断して前記紙葉類に対する負圧を解除するシャッター手段と、
を具備することを特徴とする紙葉類集積装置。
【請求項２】
前記シャッター手段によって前記紙葉類に対する負圧が解除されたのち、前記紙葉類を前記搬送手段からはがして前記集積部に強制的に落下させる紙葉類はがし手段をさらに具備することを特徴とする請求項１記載の紙葉類集積装置。
【請求項３】
前記紙葉類はがし手段によって前記紙葉類が前記集積部に落下させられたのち、前記紙葉類の送込方向奥側の端部を保持する保持手段をさらに具備することを特徴とする請求項２記載の紙葉類集積装置。
【発明の詳細な説明】
【技術分野】
【０００１】
本発明は、例えば光学的文字読取装置や光学的イメージ読取装置に用いられる紙葉類集積装置に関する。
【背景技術】
【０００２】
光学的文字読取装置は、紙葉類を積載するホッパを備えており、このホッパから紙葉類を一枚ずつ取り出して装置本体内の読取部に搬送する。そして、この読取部で紙葉類の読取情報を読み取ったのち、この紙葉類を集積部へと搬送して集積する。
【０００３】
ところで、この光学的文字読取装置では、クレジット用の帳票等（紙葉類）の情報を読み取ることがある。クレジット用の帳票は、ベースとなる申込書に身分証明書コピー等の添付資料を貼り付けたものである。そのため、一定以上の長さとなったクレジット用の帳票については、折り畳んで保管されることがある。
【０００４】
身分証明書コピー等の添付資料が何枚も貼り付けられた、いわゆる長尺帳票の読取時には、帳票全体を引き伸ばした状態にしてホッパから給紙された記載事項が読み取られる。そして、記載事項が読み取られた長尺帳票は、通常サイズの帳票とは異なる長尺専用の集積部に集積される。
【０００５】
長尺専用の集積部では、ファンで負圧を作り出すことで、送り込まれてくる長尺帳票をベルトに吸着する。そして、ファンを停止もしくは逆回転させて負圧付与を解除し、ベルトに吸着した長尺帳票を集積部に落下させている（例えば、特許文献１参照。）。
【特許文献１】特開２００４−２６９１１５号公報
【発明の開示】
【発明が解決しようとする課題】
【０００６】
しかしながら、従来の紙葉類集積装置では、ファンに停止または逆回転の命令を与えても、実際にファンが停止もしくは逆回転するまでにタイムラグがあり、送り込まれた長尺帳票が落下を開始するのにかなりの時間がかかっていた。そのため、複数の長尺帳票が連続して搬入されたときに、帳票の集積処理が滞るという問題があった。
【０００７】
そこで本発明は、前記事情を鑑みてなされたものであって、その目的とするところは、連続して送り込まれる複数の長尺帳票を速やかに集積部に集積することができる紙葉類集積装置を提供することにある。
【課題を解決するための手段】
【０００８】
前記課題を解決し目的を達成するために、本発明の紙葉類集積装置は次のように構成されている。
【０００９】
（１）送り込まれてくる紙葉類を集積させる集積部と、前記集積部に送り込まれる紙葉類の上面側に接触してその送込方向奥側に向かって搬送する搬送手段と、前記搬送手段によって搬送される紙葉類に負圧を付与して前記搬送手段に吸着させる負圧付与手段と、前記搬送手段に吸着された紙葉類と前記負圧付与手段との間を遮断して前記紙葉類に対する負圧を解除するシャッター手段とを具備する。
【００１０】
（２）（１）に記載された紙葉類集積装置において、前記シャッター手段によって前記紙葉類に対する負圧が解除されたのち、前記紙葉類を前記搬送手段からはがして前記集積部に強制的に落下させる紙葉類はがし手段をさらに具備する。
【００１１】
（３）（２）に記載された紙葉類集積装置において、前記紙葉類はがし手段によって前記紙葉類が前記集積部に落下させられたのち、前記紙葉類の送込方向奥側の端部を保持する保持手段をさらに具備する。
【発明の効果】
【００１２】
本発明によれば、連続して送り込まれる複数の長尺帳票を速やかに集積部に集積することができる。
【発明を実施するための最良の形態】
【００１３】
以下、図面を参照しながら本発明を実施するための最良の形態について説明する。
【００１４】
最初に図１と図２を用いて紙葉類処理装置の構成について説明する。
【００１５】
図１は本発明の一実施の形態に係る紙葉類処理装置の内部構成を示す概略図、図２は同実施の形態に係る読取装置１の外観を示す斜視図である。
【００１６】
図１と図２に示すように、この紙葉類処理装置は、光学式の読取装置１とソータ装置２とによって構成され、読取装置１は装置本体３を有し、装置本体３の一側上部側にはホッパテーブル４が設けられている。ホッパテーブル４上には、各種サイズのクレジット用の帳票６が立位状態で載置されている。この帳票６はその上端側が後方へ傾くように傾斜された状態で載置されている。
【００１７】
ホッパテーブル４上には、帳票６を支持するガイド体５が帳票６の送出方向に沿ってスライド自在に設けられている。ホッパテーブル４の帳票６の送出側には、帳票６を装置本体３内に送り込むための第１のフィーダ部７が設けられている。
【００１８】
第１のフィーダ部７は、ピックアップローラ８、送出ローラ９、及び分離ローラ１０によって構成され、前記ホッパテーブル４と共に第１の給紙部１１を構成している。また、ホッパテーブル４には帳票６の有無を判別する検知スイッチ６０が設けられている。
【００１９】
装置本体３内の上部側には、第１のフィーダ部７から送り出される帳票６を搬送するメイン搬送路１２が設けられている。メイン搬送路１２には帳票６の搬送方向に亘って多数の搬送ローラ対１３、及び検知センサ１４等が配置されている。
【００２０】
また、装置本体３の上面部には、連続給紙不可能な帳票を手差しで給紙するための手差し給紙部１７が設けられている。この手差し給紙部１７は、手差しされる帳票６を載置する傾斜ホッパ２１と、載置された帳票６をメイン搬送路１２に向かって案内する案内路１８とを有している。傾斜ホッパ２１には手差しされる帳票６の有無を判別する検知スイッチ２０が設けられている。案内路１８中には給紙ローラ対１９が設けられている。
【００２１】
案内路１８とメイン搬送路１２の合流部の帳票搬送方向下流側には、帳票６に記録されている情報を光学的に読み取る読取部２２が設けられている。読取部２２は、帳票６に光を照射する一対の照明ランプ２３、２４と、帳票６から反射される光を所定方向に導く第１、第２の反射ミラー２６、２７と、反射されてくる光を受光して情報を読み取る受光センサ２８とによって構成されている。読取部２２の帳票搬送方向下流側には、帳票６にナンバーを記録するナンバリング２９が設けられている。
【００２２】
メイン搬送路１２の帳票搬送方向の終端側は装置本体３の内側面に沿って下方に略９０度折曲されてソータ装置２の搬送路３１に接続されている。
【００２３】
メイン搬送路１２の略９０度下方に折曲された部分には、第１、第２の分岐搬送路３３、３４が接続され、その接続部近傍には帳票６を第１、第２の分岐搬送路３３、３４に選択的に案内する第１、第２の分岐ゲート３６、３７が設けられている。
【００２４】
第１の分岐搬送路３３はメイン搬送路１２に沿って水平に設けられ、この第１の分岐搬送路３３中には帳票６の搬送方向に亘って複数の搬送ローラ対４０及び検知センサ４１が配設されている。第１の分岐搬送路３３の下方部には、例えばＡ３サイズの帳票を集積するための集積装置４３が設けられている。この集積装置４３は、第１の分岐搬送路３３に沿って所定間隔で配設される複数個の集積部４３ａ〜４３ｃによって構成されている。
【００２５】
第１の分岐搬送路３３と複数個の集積部４３ａ〜４３ｃとは、それぞれ案内路４４ａ〜４４ｃを介して接続されている。第１の分岐搬送路３３と案内路４４ａ、４４ｂとの接続部近傍には分岐ゲート４５ａ、４５ｂが設けられ、この分岐ゲート４５ａ、４５ｂの回動により帳票６が選択的に集積部４３ａ〜４３ｃに案内されて集積されるようになっている。
【００２６】
第２の分岐搬送路３４は斜め下方に向かって延びたのち、長尺用の集積装置５１に接続されている。第２の分岐搬送路３４中には帳票６の搬送方向に亘って複数の搬送ローラ対４７及び検知センサ４８が配設されている。長尺用の集積装置５１は、集積部４３ａ〜４３ｃの下部側に水平に設けられている。この集積装置５１については、本発明の重要なポイントであるため、後で詳しく説明する。
【００２７】
一方、ソータ装置２は読取装置１の他側面側に隣接して設けられている。ソータ装置２は上下方向に亘って配設される複数段のトレイ５３…を備え、これらトレイ５３…には例えばＡ４サイズの帳票６が区分収納される。ソータ装置２は前述のように読取装置１のメイン搬送路１２の終端部に接続される搬送路３１を有し、この搬送路３１は水平搬送路３１ａと垂直搬送路３１ｂとによって構成されている。水平搬送路３１ａと垂直搬送路３１ｂには、帳票６の搬送方向に対して所定間隔で複数個の搬送ローラ対５５が配設されている。垂直搬送路３１ｂと複数段のトレイ５３…とは、複数の分岐案内路５７…を介して接続されている。
【００２８】
次に、前記構成の紙葉類処理装置による帳票６の処理動作について説明する。
【００２９】
まず、ホッパテーブル４上に多数枚の帳票６を立位状態で載置し、第１のフィーダ部７を動作させる。これにより、ピックアップローラ８、送出ローラ９、及び分離ローラ１０が回転され、帳票６が一枚ずつ分離されてメイン搬送路１２へ送り出される。この帳票６は、搬送ローラ対１３…の回転によりメイン搬送路１２に沿って挟持搬送される。そして、この搬送途中において帳票６のサイズが検知センサ１４により検出され、この検知後、読取部２２で情報が光学的に読み取られる。この読取後、帳票６はさらに搬送されてナンバリング２９に送られ、ここで、ナンバーが記録される。
【００３０】
ナンバーが記録された帳票６のサイズが例えばＡ４サイズのものである場合には、メイン搬送路１２に沿って搬送されたのち、ソータ装置２の搬送路３１へと送り込まれる。この搬送路３１に送り込まれた帳票６は水平搬送路３１ａに沿って搬送されたのち、垂直搬送路３１ｂに沿って上方へ搬送され、複数の分岐案内路５７…を介して複数段のトレイ５３…上に区分集積される。
【００３１】
また、帳票６のサイズが例えばＡ３サイズである場合には、ソータ装置２に送り込まれることなく、第１の分岐ゲート３６の動作により第１の分岐搬送路３３に送り込まれ、集積装置４３の各集積部４３ａ〜４３ｃに集積される。
【００３２】
さらに、帳票６のサイズが長尺である場合には、第２の分岐ゲート３７の動作により第２の分岐搬送路３４に送られ、長尺用の集積装置５１に集積される。なお、本実施の形態において、長尺の帳票６とは、図１４に示すように、例えばクレジット用の申込書等の本紙１００に身分証明書コピー等の添付資料１０１を貼り付けた結果、搬送方向への長さがＡ３サイズの用紙の長さを超えたもののことである。以下、この長尺の帳票６を長尺帳票６ａと呼ぶこととする。
【００３３】
次に図３〜図１２を用いて長尺用の集積装置５１の構成について説明する。
【００３４】
図３は同実施の形態に係る長尺用の集積装置５１の構成を示す概略図である。
【００３５】
図３に示すように、長尺用の集積装置５１は集積部６１を有し、この集積部６１の上面開口部には搬送機構６２ａ、６２ｂが配設されている。搬送機構６２ａ、６２ｂは、複数のローラ６３…間に搬送ベルト６４（搬送手段）を掛け渡して構成されている。この搬送ベルト６４は、その幅方向に対して所定間隔で２本平行に配設されている。
【００３６】
図４は同実施の形態に係る搬送機構６２ａ、６２ｂの構成を示す拡大図、図５は同実施の形態に係る搬送機構６２ａ、６２ｂの構成を示す下面図、図６は同実施の形態に係る搬送機構６２ａ、６２ｂの構成を示す側面図、図７は同実施の形態に係るファン６５の構成を示す斜視図である。
【００３７】
図４〜図７に示すように、各搬送機構６２ａ、６２ｂは、長尺帳票６ａに負圧を付与するための６つのファン６５（負圧付与手段）、ファン６５の風を遮るためのシャッター機構８８（シャッター手段）、及び搬送ベルト６４に吸着保持された長尺帳票６ａを強制的に落下させるための叩き落し機構８７（紙葉類はがし手段）を具備している。
【００３８】
６つのファン６５は、搬送ベルト６４ごとに３つずつ、搬送方向に対して所定間隔で並設されている。このファン６５を回転させると、その下側部に負圧が発生し、長尺帳票６ａを搬送ベルト６４の下面部に吸着保持できるようになっている。これらファン６５は必要とする負圧レベルに応じて選択的に使用される。
【００３９】
なお、本実施の形態では、搬送ベルト６４がファン６５の中心部を覆うような配置となっているが、ファン６５のプロペラが搬送ベルト６４の幅よりも十分大きいため、搬送ベルト６４の下側部分に所望の負圧を発生できるようになっている。
【００４０】
シャッター機構８８は、ファン６５の下面と搬送ベルト６４との間に配設されており、ファン６５の下面及び搬送ベルト６４との間には隙間が形成されている。なお、シャッター機構８８の平面サイズは、全てのファン６５を完全に覆えるように決定されている。
【００４１】
叩き落し機構８７は、２本の搬送ベルト６４の間に搬送方向に沿って配設されており、その下面部はシャッター機構８８の各板８８ａ、８８ｂに形成された矩形開口部８６から露出している。
【００４２】
以下シャッター機構８８と叩き落し機構８７の構成について詳細に説明する。
【００４３】
図８は同実施の形態に係るシャッター機構８８の構成を示す平面図、図９は同実施の形態に係るシャッター機構８８の構成を示す側面図である。
【００４４】
図８と図９に示すように、このシャッター機構８８は、ファン６５の風を通すための風穴８９ａ、８９ｂを有する２枚の板８８ａ、８８ｂで構成されている。これらの板８８ａ、８８ｂのうち、片方の板８８ｂにはソレノイドアクチュエータ９０に連結されており、このソレノイドアクチュエータ９０により片方の板８８ｂを矢印方向にスライドさせることで、風の通り道を遮断できるようになっている。これにより、シャッター機構８８を動作させると、長尺帳票６ａのファン６５による吸着保持が解除されることになる。
【００４５】
図１０は同実施の形態に係る叩き落し機構８７の構成を示す正面図、図１１は同実施の形態に係る叩き落し機構８７の構成を示す側面図である。
【００４６】
図１０と図１１に示すように、叩き落し機構８７は、帯板状に形成された４本の連結部材９２…（２本のみ図示）と、断面コ字状に形成された１本の剥離部材９３とから構成されている。各連結部材９２…の一端部は読取装置１内の取付け部材９１に回転可能に連結され、剥離部材９３の四隅部は各連結部材９２…の他端部に回転可能に支持されている。
【００４７】
取付け部材９１にはモータ９５がブラケット９４を介して設けられている。モータ９５の駆動軸９５ａは１本の連結部材９２に固定されており、このモータ９５を駆動することにより、叩き落し機構８７を矢印で示すように動かせるようになっている。
【００４８】
これにより、通常時は叩き落し機構８７の剥離部材９３を集積部６１の上部側に格納しておき、必要に応じて叩き落し機構８７の剥離部材９３を搬送ベルト６４より下方に突出させて長尺帳票６ａを集積部６１に強制的に落下させることを可能としている。
【００４９】
なお、図１０中の点線Ａは、叩き落し機構８７が集積部６１の上部側に格納された状態を示し、点線Ｂは、叩き落し機構８７が搬送ベルト６４より下方に突出した状態を示している。
【００５０】
搬送機構６２ｂの搬出側には、長尺帳票６ａの先端側を斜め下方に向かって案内する案内ガイド６７及びこの案内ガイド６７に沿って案内される長尺帳票６ａの先端部を押圧保持する保持部材６９（保持手段）が設けられている。
【００５１】
また、集積部６１の入口側には、送り込まれてくる長尺帳票６ａを検知する入口センサ７０が設けられ、集積部６１の奥側には、長尺帳票６ａの先端を検知する奥側センサ７１が設けられている。
【００５２】
図１２は保持部材６９の駆動機構を示す斜視図である。
【００５３】
図１２に示すように、保持部材６９は長尺帳票６ａの幅方向に亘って複数配設される保持アーム７２を有している。これら保持アーム７２は高摩擦材料によって成形され、シャフト７３に取付けられている。シャフト７３の一端部にはアーム駆動モータ７５が接続されている。また、シャフト７３には検出板７７が取付けられ、検出板７７はシャフト７３の近傍に設けられたアーム位置検知センサ７８によって検知される。
【００５４】
保持アーム７２はアーム駆動モータ７５の駆動により正逆方向に９０度回動されて水平状態或いは起立状態になり、水平状態になることにより長尺帳票６ａの先端を押圧保持し、起立状態になることにより長尺帳票６ａの先端の押圧保持を解除する。
【００５５】
図１３は同実施の形態に係る搬送ベルト６４、ファン６５、シャッター機構８８、叩き落し機構８７、及び保持アーム７２の駆動制御系を示すブロック図である。
【００５６】
図１３に示すように、集積部６１の入口センサ７０、奥側センサ７１、及びアーム位置検知センサ７８は信号送信回路を介して制御装置８１に接続されている。制御装置８１には制御回路を介してベルト駆動モータ８２、アーム駆動モータ７５、シャッター駆動モータ８４、叩き落し駆動モータ８５、及びファン駆動モータ８３が接続されている。
【００５７】
入口センサ７０からの帳票検知信号が制御装置８１に送信されると、ベルト駆動モータ８２が駆動されて、搬送ベルト６４が長尺帳票６ａを集積部６１の奥側に向かって搬送するように走行されるとともに、ファン駆動モータ８３が駆動されて、ファン６５が回転される。
【００５８】
また、奥側センサ７１から帳票検知信号が制御装置８１に送信されると、シャッター駆動モータ８４が駆動されて、長尺帳票６ａに対する負圧付与が解除されるとともに、叩き落し駆動モータ８５が駆動されて、叩き落し機構８７の動作により帳票を落下させる。そして、この直後にアーム駆動モータ７５が駆動されて、保持部材６９の回動により長尺帳票６ａの奥側端部を集積部６１底面に押圧保持する。
【００５９】
次に、前記構成の集積装置５１による長尺帳票６ａの集積動作について説明する。
【００６０】
長尺帳票６ａはメイン搬送路１２に沿って搬送されたのち、第２の分岐搬送路３４に沿って搬送されて長尺用の集積部６１に送り込まれる。この長尺帳票６ａは入口センサ７０によって検知され、この検知に基づいて搬送ベルト６４が走行されるとともに、ファン６５が回転される。これにより、集積部６１内には矢印で示すように上方に風が吹き出され、ファン６５の下部側に発生する負圧により長尺帳票６ａは上方向に吸い付けられて搬送ベルト６４の下面部に吸着される。この長尺帳票６ａは搬送ベルト６４の走行により、集積部６１の奥側に向かって搬送される。長尺帳票６ａの先端が集積部６１の奥側に達すると、シャッター機構８８により各板８８ａ、８８ｂの風穴８９ａ、８９ｂが閉ざされ、ファン６５による吸着保持がストップする。そして、叩き落し機構８７により長尺帳票６ａが搬送ベルト６４から剥離され、集積部６１内に強制的に落下・集積される。そして、長尺帳票６ａが落下を開始すると、即座に保持アーム７２及び叩き落し機構８７は上方へ退避し、シャッター機構８８が開いて次の長尺帳票６ａの集積を開始する。
【００６１】
すなわち、本実施の形態に係る紙葉類集積装置によれば、長尺帳票６ａの集積にあたり、シャッター機構８８を動作させて長尺帳票６ａに対する負圧付与を解除している。そのため、長尺帳票６ａが送り込まれてくるたびにファン６５を停止もしくは逆回転させる必要がなくなるから、長尺帳票６ａの集積動作にかかる時間を短縮することが可能となる。これにより、複数の長尺帳票６ａを連続搬入した場合でも、円滑に集積動作を行うことが可能となる。
【００６２】
しかも、シャッター機構８８を動作させると、瞬時に負圧が解除されて長尺帳票６ａが落下しはじめる。そのため、集積装置５１が長尺帳票６ａを受け入れてから、次の長尺帳票６ａを受け入れられるようになるまでの時間を短縮することが可能となる。これにより、複数の長尺帳票６ａを連続搬入した場合でも、円滑に集積動作を行うことが可能となる。
【００６３】
また、集積装置５１に送り込まれた長尺帳票６ａを叩き落し機構８７によって強制的に集積部６１に落下・集積するようにしている。そのため、連続搬入される長尺帳票６ａを１枚ずつ確実に集積できるから、長尺帳票６ａの集積順がずれたり、ジャムが発生したりするようなことのない、良好かつ安定した集積が可能となる。
【００６４】
しかも、長尺帳票６ａが静電気で搬送ベルト６４に引付いている場合でも、叩き落し機構８７を動作させることで確実に搬送ベルト６４から剥離できるから、このことによっても良好かつ安定した集積が可能となり、さらに集積時間を短縮化することが可能となる。
【００６５】
また、集積部６１に落下した長尺帳票６ａの奥側端部を保持部材６９で保持するようにしている。これにより、長尺帳票６ａの奥側端部が整位されるから、複数の長尺帳票６ａを綺麗に積層して集積することができる。
【００６６】
なお、本実施の形態では、集積対象としてクレジット用の帳票６を用いているが、これに限定されることはなく、搬送方向に対して比較的長いものであれば、例えば医療用のレセプト等であってもよい。
【００６７】
本発明は、前記実施の形態そのままに限定されるものではなく、実施の段階ではその要旨を逸脱しない範囲で構成要素を変形して具体化できる。また、前記実施の形態に開示されている複数の構成要素の適宜な組み合せにより種々の発明を形成できる。例えば、実施の形態に示される全構成要素から幾つかの構成要素を削除してもよい。さらに、異なる実施の形態に亘る構成要素を適宜組み合せてもよい。
【図面の簡単な説明】
【００６８】
【図１】本発明の一実施の形態に係る紙葉類処理装置の内部構成を示す概略図。
【図２】同実施の形態に係る読取装置の外観を示す斜視図。
【図３】同実施の形態に係る長尺用の集積装置の構成を示す概略図。
【図４】同実施の形態に係る搬送機構の構成を示す拡大図。
【図５】同実施の形態に係る搬送機構の構成を示す下面図。
【図６】同実施の形態に係る搬送機構の構成を示す側面図。
【図７】同実施の形態に係るファンの構成を示す斜視図。
【図８】同実施の形態に係るシャッター機構の構成を示す平面図。
【図９】同実施の形態に係るシャッター機構の構成を示す側面図。
【図１０】同実施の形態に係る叩き落し機構の構成を示す正面図。
【図１１】同実施の形態に係る叩き落し機構の構成を示す側面図。
【図１２】同実施の形態に係る保持部材の駆動機構を示す斜視図。
【図１３】同実施の形態に係る搬送ベルト、ファン、シャッター機構、叩き落し機構、及び保持アームの駆動制御系を示すブロック図。
【図１４】同実施の形態に係る長尺帳票の平面図。
【符号の説明】
【００６９】
６ａ…長尺帳票（紙葉類）、６１…集積部、６４…搬送ベルト（搬送手段）、６５…ファン（負圧付与手段）、６９…保持部材（保持手段）、８７…叩き落し機構（紙葉類はがし手段）、８８…シャッター機構（シャッター手段）。
【図１】
2006151632.tif 000003
【図２】
2006151632.tif 000004
【図３】
2006151632.tif 000005
【図４】
2006151632.tif 000006
【図５】
2006151632.tif 000007
【図６】
2006151632.tif 000008
【図７】
2006151632.tif 000009
【図８】
2006151632.tif 000010
【図９】
2006151632.tif 000011
【図１０】
2006151632.tif 000012
【図１１】
2006151632.tif 000013
【図１２】
2006151632.tif 000014
【図１３】
2006151632.tif 000015
【図１４】
2006151632.tif 000016